(57)【要約】【課題】点火用空間において対流が起こるのを防いでガス濃度を安定させると共に燃焼時の排ガス溜まりを防ぐ。点火部への２次空気のドラフト力を向上させる。【解決手段】点火用炎孔１ａの側方に点火用空間２を形成する。点火用空間２の点火用炎孔１ａと反対側の外側部に対向する柱部３を設けると共に点火用空間２の上部に位置し且つ下面にスパーク用ターゲット４ａを有するスパークターゲット片部４を設ける。柱部３の点火用炎孔１ａと対向する面を平面視で両側端程点火用炎孔１ａよりも遠ざかるように傾斜又は弧状とする。【選択図】        図１
2005024122.tif 000002
【特許請求の範囲】
【請求項１】
点火用炎孔の側方に点火用空間を形成し、この点火用空間の点火用炎孔と反対側の外側部に対向する柱部を設けると共に点火用空間の上部に位置し且つ下面にスパーク用ターゲットを有するスパークターゲット片部を設け、柱部の点火用炎孔と対向する面を平面視で両側端程点火用炎孔よりも遠ざかるように傾斜又は弧状として成ることを特徴とするガスバーナ。
【請求項２】
スパークターゲット片部の下面を点火用炎孔からのガスの噴射方向から見て両側程上となるように傾斜又は弧状として成ることを特徴とするガスバーナ。
【請求項３】
スパークターゲット片部の下方の点火用空間の下部に点火用２次空気供給孔を設けて成ることを特徴とする請求項２記載のガスバーナ。
【発明の詳細な説明】
【０００１】
【発明の属する技術分野】
本発明は、ガスコンロ用バーナなどのガスバーナにおける点火装置部分の構造に関するものである。
【０００２】
【従来の技術】
従来から点火用炎孔の側方に点火用空間を形成し、この点火用空間の点火用炎孔と反対側の外側部に対向する柱部を設けると共に点火用空間の上部に位置し且つ下面にスパーク用ターゲットを有するスパークターゲット片部を設けたガスバーナの点火装置が知られている。（例えば、特許文献１参照）
この特許文献１に示された従来例にあっては、柱部３の点火用炎孔１ａと対向する面が点火用炎孔１ａから噴き出すガスの噴射方向に対して直交する垂直面となっておりこのため、点火の際に点火用炎孔１ａから噴射したガスは柱部３の上記垂直面に当たって図７（ａ）（ｂ）の矢印イのように流れて、点火用空間２で対流を起こしていた。また、スパークターゲット片部４の下面も点火用炎孔１ａからのガスの噴射方向と直交する垂直面で切断した場合に下端が水平線となっているので、図７（ｂ）のように柱部３の上記垂直面に当たったガス流の一部が向きを変えて矢印ロのようにスパークターゲット片部４に沿って流れ更に矢印ハのようにスパーク用ターゲット４ａに沿って点火用空間２側に対流となって流れる現象を起こしていた。なお、図中１７は点火プラグ、１７ａは点火プラグ１７に設けた放電電極である。
【０００３】
上記のように従来にあっては、点火用空間２でガス流が対流を起こすため、点火用空間２におけるガス濃度が増えて点火に悪影響を与え、また、燃焼時に点火用空間２に排ガスが溜まり易くて点火部の燃焼に悪影響を与えるという問題があった。
【０００４】
更に、上記のようにガス流れが点火用空間２で対流を起こすため、点火時あるいは点火部の燃焼時の２次空気のドラフト力が弱く、燃焼が安定し難いという問題があった。
【０００５】
【特許文献１】
特開２０００−２８３４１５号公報
【０００６】
【発明が解決しようとする課題】
本発明は上記の点に鑑みてなされたものであり、点火用空間において対流が起こるのを防いでガス濃度を安定させると共に燃焼時の排ガス溜まりを防ぐことができ、更に、点火部への２次空気のドラフト力を向上させることができるガスバーナを提供することを課題とするものである。
【０００７】
【課題を解決するための手段】
上記課題を解決するために本発明に係る本発明のガスバーナは、点火用炎孔１ａの側方に点火用空間２を形成し、この点火用空間２の点火用炎孔１ａと反対側の外側部に対向する柱部３を設けると共に点火用空間２の上部に位置し且つ下面にスパーク用ターゲット４ａを有するスパークターゲット片部４を設け、柱部３の点火用炎孔１ａと対向する面を平面視で両側端程点火用炎孔１ａよりも遠ざかるように傾斜又は弧状として成ることを特徴とするものである。
【０００８】
このような構成とすることで、点火時に点火用炎孔１ａから噴き出したガスは点火用炎孔１ａと対向する柱部３の点火用炎孔１ａと対向する面に当たり、該当たった面が傾斜面又は弧状面であるためこれに沿って柱部３の両外側方に整流されながら流れ、点火用空間２内においてガスが対流を起こさないようにしている。このように点火用空間２内においてガスの対流を防ぐことができるのでガス濃度が安定し、安定した点火ができるものである。また、燃焼時にも点火用空間２内に排ガスが溜まり難くなり、点火部の燃焼が安定する。また、上記のように点火時において点火用空間２内のガスの対流を防ぎ且つ燃焼時において排ガスの溜まりを防ぐことができるので、点火時及び燃焼時における２次空気のドラフト力を向上させることができるものである。
【０００９】
また、スパークターゲット片部４の下面を点火用炎孔１ａからのガスの噴射方向から見て両側程上となるように傾斜又は弧状とすることが好ましい。
【００１０】
このような構成とすることで、点火用炎孔１ａから噴出したガスが柱部３に当たって向きを変えてその一部がスパークターゲット片部４の下面側に流れても下面が傾斜面又は弧状面であるためこれに沿ってスパークターゲット片部４の両外側方に整流されながら流れ、スパーク用ターゲット４ａに当たって点火用空間２の内部に向きを変えて対流となって流れるのが防止され、これによりいっそうガス濃度が安定し、安定した点火ができ、また、燃焼時に点火用空間２内にいっそう排ガスが溜まり難くなって点火部の燃焼が安定する。
【００１１】
また、スパークターゲット片部４の下方の点火用空間２の下部に点火用２次空気供給孔５を設けることが好ましい。
【００１２】
すなわち、上記のようにスパークターゲット片部４の下面に流れたガスや排ガスを両側からスパークターゲット片部４の下面の傾斜面又は弧状面に沿って両側方に整流して流すことで、点火用空間２内において下方から上方への吸引力が生じ、これによりスパークターゲット片部４の下方の点火用空間２の下部に設けた点火用２次空気供給孔５からの２次空気のドラフト力をいっそう向上させることができ、燃焼が安定するものである。
【００１３】
【発明の実施の形態】
以下、本発明を添付図面に示す実施形態に基づいて説明する。
【００１４】
ガスバーナＡはバーナ本体６とバーナキャップ７とで構成してある。バーナ本体６は図１に示すように混合管８とバーナベース９とで構成してある。本実施形態においてはバーナ本体６はアルミニウム製であり、添付図面に示すようにアルミニウム製の混合管８とアルミニウム製のバーナベース９とを固着してバーナ本体６が構成してある。混合管８の基端には燃料ガスを供給するガスノズルが配置され、ガスノズルから燃料ガスを供給すると、混合管８の基端から一次空気が吸入されて混合管８内で燃料ガスと一次空気とが混合されるようになっている。バーナ本体６の上面部を構成するバーナベース９は円環状をしている。
【００１５】
バーナ本体６のバーナベース９上には円環状のバーナキャップ７が着脱自在に載設してある。本実施形態の場合、バーナキャップ７もアルミニウムにて形成してある。また、バーナキャップ７の上部には隙間を介してバーナキャップ７よりも大径の受け皿１０が取付けてあり、受け皿１０で煮汁等を受けてバーナキャップ７に煮汁が流れないようにしてある。また、受け皿１０の外周部の一部から庇片１２が外側方に向けて突出してある。
【００１６】
図１、図２、図４に示すように、バーナキャップ７の下面には周方向に多数の溝を穿設してあり、この溝によりバーナキャップ７とバーナベース９との間に周方向に多数の炎孔１が形成してある。多数の炎孔１のうち一つの炎孔１が点火用炎孔１ａとなっており、点火用炎孔１ａの側方が点火用空間４となっている。
【００１７】
バーナベース９の外周から一段下に下がって外方に向けて鍔部１３が一体に連設してあり、更に鍔部１３の外周に更に一段下がって受け段部１４が一体に連設してあり、ガスコンロの天板（図示せず）の開口縁が受け段部１４に載置されるようになっている。
【００１８】
バーナベース９にバーナキャップ７を正規の位置関係で載設した状態で、バーナベース９の鍔部１３の前述の点火用炎孔１ａに対応する箇所には鍔部１３よりも上方に突出する上向き突出部１５となっており、この上向き突出部１５部分で鍔部１３に上下に貫通した孔１８が形成してある。したがって鍔部１３から孔１８に煮汁が流れるのが上向き突出部１５により防止される。上向き突出部１５の上面はバーナベース９の上面と同一レベルとなっている。孔１８の下部には固定ばね１６が嵌め込んで取付けてあり、固定ばね１６に下方より点火プラグ１７を挿入して取付けてある。ここで、孔１８に上記のように点火プラグ１７を挿入して取付けた状態で、孔１８の内周と点火プラグ１７との間には上下に貫通した隙間が形成されるようになっていている。したがって、上記孔１８は点火用２次空気供給孔５を兼用している。
【００１９】
点火プラグ１７の上端部の放電電極１７ａの先端は孔１８の上開口内に又は上開口より少し上方に位置していてバーナベース９の上面とほぼ同一レベル又は少し上となるように配設してある。
【００２０】
鍔部１３の上向き突出部１５部分において点火用２次空気供給孔５の縁部には点火用２次空気供給孔５を介して点火用炎孔１ａと対向する位置から上方に向けて柱部３が一体に突設してあり、更に、この柱部３の上端部から点火用空間２の上部に位置するスパークターゲット片部４を点火用炎孔１ａ側に向けて一体に突設してあり、スパークターゲット片部４の下面部の突出側端部には下方に向けて突出する略錐状をしたスパーク用ターゲット４ａが一体に設けてある。
【００２１】
上記、柱部３の点火用炎孔１ａと対向する面は図３、図４に示すように、平面視で両側端程点火用炎孔１ａよりも遠ざかるように傾斜又は弧状となっている。具体的例として説明すると、この傾斜又は弧状となった柱部３の点火用炎孔１ａと対向する面は例えば図５（ａ）に示すように平面視で中央部が最も点火用炎孔１に近く両側端に行くほど点火用炎孔１ａよりも遠ざかるように傾斜した水平断面台形状あるいは水平断面く字状あるいは水平断面円弧状をしていて該面が傾斜面１９又は弧状面となっている。
【００２２】
また、スパークターゲット片部４の下面は、点火用炎孔１ａからのガスの噴射方向から見て中央部が最も下となり両側に行く程上となるように傾斜又は弧状となっている。具体的例として説明すると、この傾斜又は弧状となったスパークターゲット片部４の下面は例えば図５（ｂ）に示すように、点火用炎孔１ａからのガスの噴射方向と直交する垂直断面形状が中央部が最も下となり両側端に行くほど上となるように傾斜した台形状あるいはく字状あるいは円弧状をしていて該面が傾斜面２０又は弧状面となっている。
【００２３】
上記孔１８に挿入して固定ばね１６により取付けた点火プラグ１７の放電電極１７ａとスパーク用ターゲット４ａとが上下に対向するものであり、スパーク用ターゲット４ａはバーナベース９に一体に形成し、また、点火プラグ１７はバーナベース９に取付けるので、スパーク用ターゲット４ａと放電電極１７ａとの位置関係をきわめて正確に出すことができて正確に放電できるようになっている。
【００２４】
また、バーナベース９の鍔部１３の他の箇所には上下に貫通したサ−モカップル用貫通孔２１が設けてある。このサ−モカップル用貫通孔２１に、炎孔１からの火炎の温度を検知して炎が消えた際にガスの供給を遮断するためのサ−モカップル２２が貫挿して取付けてある。
【００２５】
しかして、混合管８からバーナキャップ７とバーナベース９との間の環状の空間にガスが供給されると、点火用炎孔１ａから点火用空間４にガスが噴出される。このとき、放電電極１７ａとスパーク用ターゲット４ａとの間でスパークが発生されてガスに点火され、点火用炎孔１ａから点火炎が形成される。
【００２６】
ここで、本発明においては、柱部３の点火用炎孔１ａと対向する面を平面視で両側端程点火用炎孔１ａよりも遠ざかるように傾斜又は弧状としてあるので、点火時に点火用炎孔１ａから噴き出したガスは点火用炎孔１ａと対向する柱部３の点火用炎孔１ａと対向する面に当たり、該当たった面が傾斜面１９又は弧状面であるためこの傾斜面１９又は弧状面に沿って図６の矢印ニのように柱部３の両外側方に整流されながら流れ、点火用空間２内においてガスが対流を起こさないようになっていると共に、スパークターゲット片部４の下面を点火用炎孔１ａからのガスの噴射方向から見て両側程上となるように傾斜又は弧状としてあるので、点火用炎孔１ａから噴出してガスが柱部３に当たって向きを変えたガスの一部がスパークターゲット片部４の下面側に流れても下面が傾斜面２０又は弧状面であるためこれに沿ってスパークターゲット片部４の両外側方に整流されながら流れ、スパーク用ターゲット４ａに当たって点火用空間２の内部に向きを変えて対流となって流れるのが防止されるものである。このように点火用空間２内においてガスの対流を防ぐことができるのでガス濃度が安定し、安定した点火ができることになる。
【００２７】
上記のように点火用炎孔１ａから噴出するガスに点火が行われると、点火用空間２の両側が開口していることと、上記柱部３の点火用炎孔１ａと対向する面が傾斜面１９又は弧状面となり且つスパークターゲット片部４の下面が傾斜面２０又は弧状面となっていることで、点火炎が傾斜面１９又は２０又は弧状面にガイドされて点火用炎孔１ａに隣接する炎孔１から出るガスにスムーズに火移りして点火され、炎孔１から火炎がでるように燃焼を持続する。
【００２８】
また、燃焼中においても、燃焼排ガスが上記柱部３の傾斜面１９や弧状面、スパークターゲット片部４の下面の傾斜面２０又は弧状面にガイドされて点火用空間２の両側にスムーズに排気されるので、点火用空間２内に排ガス滞留するのを防ぐことができ、燃焼を安定させることができるものである。更に、燃焼中においては、点火用空間２の両側が開口していることと、上記柱部３の傾斜面１９や弧状面、スパークターゲット片部４の下面の傾斜面２０又は弧状面の存在により点火用炎孔１ａに形成される火炎が両側に向かう火炎となり、この両側に向かう火炎と隣接する炎孔１から出る火炎との間で絶えず火移りする関係を良好に維持し、これらの理由により安定した連続燃焼を確保することができるものである。
【００２９】
また、点火用空間２への点火時および燃焼時における２次空気の供給は点火用空間２の両側の開口した部分及び点火用空間２の下方の点火用２次空気供給孔５から行われるが、本発明においては、上記のように、柱部３の傾斜面１９や弧状面、スパークターゲット片部４の下面が傾斜面２０又は弧状面にガイドされて点火の際にガスが両側方に流れ、また、燃焼中に排ガスが両側方に流れるので、２次空気のドラフト力を向上させることができるものである。特に、点火用２次空気供給孔５の真上においてスパークターゲット片部４の下面の傾斜面２０にガイドされて両側方にガス又は排ガスが流れるため、点火用空間２内に下から上に向いた吸引力が生じ、これにより点火用空間２の下方の点火用２次空気供給孔５からの点火用空間２に２次空気が流れ込むドラフト力が生じ、安定した２次空気の供給ができる。つまり、燃焼中においては、点火用空間２の両側の開口からは炎孔１から出る火炎の影響で２次空気の供給が点火時に比べると少なくなるが、上記のように、点火用２次空気供給孔５からの点火用空間２に２次空気が流れ込むドラフト力が生じることで、燃焼が安定するものである。
【００３０】
【発明の効果】
上記のように本発明の請求項１記載の発明にあっては、点火用炎孔の側方に点火用空間を形成し、この点火用空間の点火用炎孔と反対側の外側部に対向する柱部を設けると共に点火用空間の上部に位置し且つ下面にスパーク用ターゲットを有するスパークターゲット片部を設け、柱部の点火用炎孔と対向する面を平面視で両側端程点火用炎孔よりも遠ざかるように傾斜又は弧状としてあるので、点火時にガスが点火用空間に対流するのを防ぐと共に燃焼時に排ガスが点火用空間に滞留するのを防ぐことができて、安定して点火できると共に燃焼が安定するという利点があり、更に、点火用空間への点火時および燃焼時における２次空気のドラフト力を向上させることができ、この点でも点火が安定し且つ燃焼が安定するものである。
【００３１】
また、請求項２記載の発明にあっては、上記請求項１記載の発明の効果に加えて、スパークターゲット片部の下面を点火用炎孔からのガスの噴射方向から見て両側程上となるように傾斜又は弧状としているので、よりいっそう点火時にガスが点火用空間に対流するのを防ぐと共に燃焼時に排ガスが点火用空間に滞留するのを防ぐことができて、いっそう安定して点火できると共に燃焼が安定するものであり、また、点火用空間への点火時および燃焼時における２次空気のドラフト力もより向上させることができるものである。
【００３２】
また、請求項３記載の発明にあっては、上記請求項２記載の発明の効果に加えて、スパークターゲット片部の下方の点火用空間の下部に点火用２次空気供給孔を設けてあるので、スパークターゲット片部の下方の点火用空間の下部に設けた点火用２次空気供給孔からの２次空気のドラフト力をいっそう向上させることができ、よりいっそう燃焼が安定するものである。
【図面の簡単な説明】
【図１】本発明の断面図である。
【図２】同上の要部斜視図である。
【図３】同上の柱部の傾斜面及びスパークターゲット片部の傾斜面を示す斜視図である。
【図４】同上の受け皿を図面上省略した状態の拡大平面図である。
【図５】（ａ）は同上の図２のＸ−Ｘ線の断面図であり、（ｂ）は図２のＹ−Ｙ線の断面図である。
【図６】（ａ）は同上の作用説明のための概略平面図であり、（ｂ）は作用説明のための概略側面図である。
【図７】（ａ）は従来例の作用説明のための概略平面図であり、（ｂ）は従来例の作用説明のための概略側面図である。。
【符号の説明】
１ａ  点火用炎孔
２  点火用空間
３  柱部
４  スパークターゲット片部
４ａ  スパーク用ターゲット
５  点火用２次空気供給孔
【図１】
2005024122.tif 000003
【図２】
2005024122.tif 000004
【図３】
2005024122.tif 000005
【図４】
2005024122.tif 000006
【図５】
2005024122.tif 000007
【図６】
2005024122.tif 000008
【図７】
2005024122.tif 000009